(57)【要約】【課題】使用者の操作の手間を削減し、用紙属性設定と格納用紙の一致性を高めることができる画像形成装置を提供する。【解決手段】印刷ジョブを受信する受信手段と、印刷される用紙を収容する複数のトレイと、用紙に画像を記録する画像形成手段と、トレイに収容された用紙の属性を管理する用紙属性管理手段と、用紙属性管理手段により管理される用紙の属性に基づき、印刷ジョブの印刷に係るトレイとトレイの情報を検知する検知手段とを備え、印刷ジョブで使用する用紙を決定するための用紙属性情報と、トレイに収容した用紙の用紙属性情報としてトレイに割り当てられた用紙属性情報が一致せず、トレイに該当の用紙が無い旨を表示して停止している場合に、特定のトレイについて、印刷ジョブで使用する用紙を決定するための用紙属性情報と、トレイに収容した用紙の用紙属性情報としてトレイに割り当てられた用紙属性情報との異なる情報を表示する。【選択図】図４
2014018975.tif 000002
【特許請求の範囲】
【請求項１】
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、特定のトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする画像形成装置。
【請求項２】
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、存在するトレイごとに、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする画像形成装置。
【請求項３】
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、使用者が指定したトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする画像形成装置。
【請求項４】
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、前記用紙属性情報が最も多く一致するトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする画像形成装置。
【請求項５】
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、用紙サイズが一致するトレイについてのみ、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする画像形成装置。
【請求項６】
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、停止する直前に使用していたトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする画像形成装置。
【請求項７】
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、停止した後に使用者が用紙を入れ替えたトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする画像形成装置。
【請求項８】
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、停止した後に使用者がトレイに割り当てられた用紙属性情報を変更した、もしくは変更しようとしたトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする画像形成装置。
【請求項９】
コンピュータに、
印刷ジョブを受信する受信機能と、
用紙に画像を記録する画像形成機能と、
トレイに収容された用紙の属性を管理する用紙属性管理機能と、
用紙属性管理手段により管理される前記用紙の属性に基づき、前記印刷ジョブの印刷に係るトレイと前記トレイの情報を検知する検知機能と、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、特定のトレイについて、前記印刷ジョブで使用する用紙を決定するための用紙属性情報と、前記トレイに収容した用紙の用紙属性情報として前記トレイに割り当てられた用紙属性情報との、異なる情報を表示する機能と、
を実現するためのプログラム。
【発明の詳細な説明】
【技術分野】
【０００１】
本発明は、画像形成装置に関する。
【背景技術】
【０００２】
複写機やプリンタ等の画像形成装置では、一般のコピー向け用紙だけでなく、様々な用紙が用いられる。特に、出版や広告等といった専門業者向けの高級機種では、極めて高い画像品質を実現するために、用紙情報として、用紙サイズや用紙質量のみならず、上質紙や中質紙、コート紙、アート紙等といった多種多様な用紙の種類や、横目、縦目といった紙目等の様々な用紙パラメータを扱っている。
【０００３】
このような画像形成装置として、印刷で使用する用紙の属性と、トレイに割り当てた用紙属性が異なる場合に、用紙属性の変更を指示し、トレイに装填されている用紙属性での印刷を指示された場合に当該用紙の用紙属性に対応するように印刷情報及び画像データを再編集して印刷することが知られている（特許文献１）。
また、印刷で使用する用紙の属性と、トレイに割り当てた用紙属性が異なる場合に、表示手段に警告表示を行うことも知られている（特許文献２）。
さらに、印刷データによって指定された用紙属性を有する用紙につき用紙切れ若しくは該当用紙無しが発生した場合に、印刷を中断させずに、所定の条件に従って他の用紙を自動的に選択し、印刷を継続することも知られている（特許文献３）。
【先行技術文献】
【特許文献】
【０００４】
【特許文献１】特開平０９−３２３４５７号公報
【特許文献２】特開２００６−１２３４８１号公報
【特許文献３】特開２００２−２６４４４７号公報
【発明の概要】
【発明が解決しようとする課題】
【０００５】
本発明は、使用者の操作の手間を削減し、用紙属性設定と格納用紙の一致性を高めることができる画像形成装置を提供することを目的とする。
【課題を解決するための手段】
【０００６】
前記課題を解決するために、請求項１記載の画像形成装置は、
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、特定のトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする。
【０００７】
前記課題を解決するために、請求項２記載の画像形成装置は、
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、存在するトレイごとに、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする。
【０００８】
前記課題を解決するために、請求項３記載の画像形成装置は、
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、使用者が指定したトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする。
【０００９】
前記課題を解決するために、請求項４記載の画像形成装置は、
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、前記用紙属性情報が最も多く一致するトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする。
【００１０】
前記課題を解決するために、請求項５記載の画像形成装置は、
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、用紙サイズが一致するトレイについてのみ、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする。
【００１１】
前記課題を解決するために、請求項６記載の画像形成装置は、
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、停止する直前に使用していたトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする。
【００１２】
前記課題を解決するために、請求項７記載の画像形成装置は、
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、停止した後に使用者が用紙を入れ替えたトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする。
【００１３】
前記課題を解決するために、請求項８記載の画像形成装置は、
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、停止した後に使用者がトレイに割り当てられた用紙属性情報を変更した、もしくは変更しようとしたトレイについて、前記印刷ジョブで使用する用紙を決定するための用紙属性情報と、前記トレイに収容した用紙の用紙属性情報として前記トレイに割り当てられた用紙属性情報との、異なる情報を表示する、
ことを特徴とする。
【００１４】
前記課題を解決するために、請求項９記載のプログラムは、
印刷ジョブを受信する受信手段と、
印刷される用紙を収容する複数のトレイと、
前記用紙に画像を記録する画像形成手段と、
前記トレイに収容された用紙の属性を管理する用紙属性管理手段と、
前記用紙属性管理手段により管理される前記用紙の属性に基づき、前記印刷ジョブの印刷に係るトレイと前記トレイの情報を検知する検知手段と、を備え、
前記印刷ジョブで使用する用紙を決定するための用紙属性情報と、前記トレイに収容した用紙の用紙属性情報として前記トレイに割り当てられた用紙属性情報が一致せず、前記トレイに該当の用紙が無い旨を表示して停止している場合に、停止した後に使用者がトレイに割り当てられた用紙属性情報を変更した、もしくは変更しようとしたトレイについて、前記印刷ジョブで使用する用紙を決定するための用紙属性情報と、前記トレイに収容した用紙の用紙属性情報として前記トレイに割り当てられた用紙属性情報との、異なる情報を表示する機能と、
を実現する
ことを特徴とする。
【発明の効果】
【００１５】
本発明によれば、どの用紙属性が一致していないのかが明示され、使用者は迅速にかつ的確に指定された用紙を使用することができ、使用者の操作の手間を削減し利便性を向上させる事ができる。
【図面の簡単な説明】
【００１６】
【図１】画像形成装置１の概略構成の一例を示す断面模式図である。
【図２】画像形成装置１の機能構成の一例を示すブロック図である。
【図３】画像形成装置１の操作情報部の機能構成の一例を示すブロック図である。
【図４】特定のトレイについて用紙属性情報の異なる箇所を明示するポップアップ画面の一例を示した図である。
【図５】画像形成装置１Ａが存在するトレイについて用紙属性情報の異なる箇所を明示する場合に行う動作の一例を示したフローチャートである。
【図６】画像形成装置１Ｂが使用者が指定したトレイトレイについて用紙属性情報の異なる箇所を明示する場合に行う動作の一例を示したフローチャートである。
【図７】画像形成装置１Ｃが用紙属性情報が最も多く一致するトレイについて用紙属性情報の異なる箇所を明示する場合に行う動作の一例を示したフローチャートである。
【図８】画像形成装置１Ｄが用紙サイズが一致するトレイについて用紙属性情報の異なる箇所を明示する場合に行う動作の一例を示したフローチャートである。
【図９】画像形成装置１Ｅが直前に使用していたトレイについて用紙属性情報の異なる箇所を明示する場合に行う動作の一例を示したフローチャートである。
【図１０】画像形成装置１Ｆが使用者が用紙を入れ替えたトレイについて用紙属性情報の異なる箇所を明示する場合に行う動作の一例を示したフローチャートである。
【図１１】画像形成装置１Ｇが使用者がトレイに割り当てられた用紙属性情報を変更したトレイについて用紙属性情報の異なる箇所を明示する場合に行う動作の一例を示したフローチャートである。
【発明を実施するための形態】
【００１７】
次に図面を参照しながら、以下に実施形態及び実施例を挙げ、本発明を更に詳細に説明するが、本発明はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１８】
「第１実施形態」
（１）画像形成装置の全体構成及び動作
（１．１）画像形成装置の全体構成
図１は本実施形態に係る画像形成装置１の概略構成の一例を示す断面模式図である。
画像形成装置１は、画像形成部１０と、画像形成部１０の一端に装着された複数の用紙送り装置２０、３０、４０と、画像形成部１０の他の一端に設けられ、印刷された用紙が排紙される排紙部５０と、操作情報部６０と、を備えて構成されている。
【００１９】
画像形成部１０は、半導体レーザ、光学系、感光ドラム等から成り、例えば第１の用紙送り装置２０から給紙された用紙の一方の面にトナー画像を形成する印刷機構と、印刷機構から出力された用紙上のトナー画像を定着させる定着機構と、を備える。
【００２０】
第１の用紙送り装置２０、第２の用紙送り装置３０、及び第３の用紙送り装置４０は、いずれも、画像形成部１０に対する用紙供給を行う。すなわち、種類（例えば、材質や厚さ、用紙サイズ、紙目）の異なる用紙を収容する複数の給紙トレイを備えており、これら複数の給紙トレイのいずれか一つから繰り出した用紙を画像形成部１０に対して供給するように構成されている。
【００２１】
排紙部５０は、画像形成部１０にて画像出力が行われた用紙の排出を行う。そのために、排紙部５０は、画像出力後の用紙が排出される排紙トレイを備えている。なお、排紙部５０は、画像形成部１０から出力される用紙束に対して、裁断やステープル（針綴じ）等の後処理を行う機能を有したものであってもよい。
【００２２】
画像形成部１０、第１の用紙送り装置２０、第２の用紙送り装置３０、第３の用紙送り装置４０及び排紙部５０のそれぞれには、用紙搬送部７０が配設されている。
用紙搬送部７０は、第１の用紙送り装置２０、第２の用紙送り装置３０、第３の用紙送り装置４０から画像形成部１０への間、画像形成部１０内、並びに、画像形成部１０から排紙部５０への間において、用紙の搬送を行う。そのために、用紙搬送部７０は、駆動源によって回動される複数のローラ、経路切替部（不図示）、用紙の搬送を案内するガイド、用紙の通過や到達等を検知するセンサ等（不図示）を備えて構成されている。
【００２３】
画像形成部１０には、用紙属性管理手段の一例としての操作情報部６０が設けられている。
操作情報部６０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００２４】
（１．２）画像形成装置の動作
このような構成の画像形成装置１では、画像形成のタイミングに合わせて第１の用紙送り装置２０、第２の用紙送り装置３０、第３の用紙送り装置４０のうち、印刷ジョブで印刷の１枚毎に指定されたトレイから繰り出された用紙が画像形成部１０へ送り込まれる。画像形成部１０へ送り込まれた用紙は、画像形成部１０における像担持体（例えば中間転写体）と転写ローラとの間（転写部ＴＲ；第１図参照）を通過し、トナー像の転写が行われることになる。
トナー像が転写された用紙は、さらに用紙搬送部７０によって搬送され、その後段に配置された定着器を通過する。定着器に搬送された用紙は、一対の定着ローラにより圧着と加熱の作用でトナー像が定着される。
【００２５】
定着の終了した用紙は、用紙搬送部７０によって搬送され、排紙部５０に送り込まれる。尚、用紙の両面に画像出力を行う場合には、用紙搬送部７０により当該用紙の表裏が反転され、再び画像形成部１０における転写部ＴＲへ送り込まれる。そして、トナー像の転写および転写像の定着が行われた後に、排紙部５０に送り込まれることになる。排紙部５０へ送り込まれた用紙は、必要に応じて裁断やステープル（針綴じ）等の後処理を経た後に、排紙トレイ上へ排出される。
【００２６】
（１．３）画像形成装置のブロック構成
図２は本実施形態に係る画像形成装置１の機能構成の一例を示すブロック図である。
図例のように、画像形成装置１においては、画像形成部１０、第１の用紙送り装置２０、第２の用紙送り装置３０、第３の用紙送り装置４０の間が通信ケーブル８０で接続されており、それぞれの間で情報授受を行い得るように構成されている。
尚、排紙部５０が裁断やステープル（針綴じ）等の後処理を行う機能を有している場合には、排紙部５０についても同様に通信ケーブル８０で接続することができる。
【００２７】
画像形成部１０は、ＣＰＵ（Central  Processing  Unit）、ＲＡＭ（Random  Access  Memory）、ＲＯＭ（Read  Only  Memory）、ＨＤＤ（Hard  Disc  Drive）等の組み合わせからなるシステム制御部１１を備え、画像形成装置１全体の動作制御を行う。
【００２８】
システム制御部１１が行う動作制御としては、第１の用紙送り装置２０、第２の用紙送り装置３０、第３の用紙送り装置４０との間の情報授受についての制御の他に、以下に述べるようなものが挙げられる。
システム制御部１１は、画像形成部１０が備える画像入力部１２、画像処理部１３、画像記憶部１４、画像出力部１５、後処理装置制御部１６、用紙搬送部７１等に対して、動作制御指示を与える。
又、システム制御部１１は、画像形成部１０が備える電源制御部１７に対して、動作制御指示を与える。すなわち、電源制御部１７が画像形成部１０、第１の用紙送り装置２０、第２の用紙送り装置３０、第３の用紙送り装置４０への給電を行うか否かを決定し、その決定結果を当該電源制御部１７に対して指示する。
更に、システム制御部１１は、画像形成部１０が備える操作情報部６０で入力された処理要求、または、画像形成部１０と通信ネットワーク８１を介して接続するホストコンピュータ８２で入力された処理要求を認識して、その処理要求を受け付けるようになっている。
【００２９】
第１の用紙送り装置２０、第２の用紙送り装置３０、及び第３の用紙送り装置４０は、ＣＰＵ、ＲＡＭ、ＲＯＭ等の組み合わせからなる制御部２１、３１、４１を備え、その制御部２１、３１、４１が、画像形成部１０との間の情報授受を行う。
又、第１の用紙送り装置２０、第２の用紙送り装置３０、及び第３の用紙送り装置４０に設置されている用紙搬送部７２、７３、７４や、それぞれの給紙トレイの動作を制御するトレイ制御部２２、３２、４２等に対して、動作制御指示を与えるようになっている。
【００３０】
図３は本実施形態に係る画像形成装置１を構成する操作情報部６０の機能構成の一例を示すブロック図である。
図例のように、操作情報部６０は、所定の処理プログラムに従って、画像形成部１０において実行される画像形成処理に対する各パラメータ値の設定処理を行う制御部６１、使用者からの操作入力を受け付ける操作入力部６２、処理プログラムや用紙属性設定値（後段参照）等が記憶された記憶部６３、使用者に対して各種情報を表示する表示部６４、画像形成部１０との間の情報（各種信号や各種データ）の入出力を管理する入出力部６５を含んで構成されている。
【００３１】
（２）画像形成装置の給紙制御動作・作用
本実施形態で説明する画像形成装置１においては、画像が形成される過程において、トレイからの給紙動作に始まって用紙を所定の搬送路に沿って搬送する用紙搬送、用紙へのトナー像の転写処理、転写されたトナー像の用紙への定着処理等といった各種の動作・処理が実行される。
そして、これらの各種の動作・処理においては、それぞれに用紙の種類（紙種）毎に最適な設定条件が存在する。そのために、極めて高レベルの画像品質を実現しようとすると、使用される用紙の材質や厚さ、サイズ等といった用紙の種類（以下、用紙属性と記す。）に合わせて、用紙搬送系および画像形成プロセス部にて設定される条件をそれぞれ調整する必要がある。
【００３２】
（２．１）用紙属性設定
そのために、画像形成装置１においては、使用者は操作情報部６０を介して、ジョブの状況に応じて複数の方法で用紙属性設定を行うことができる。具体的には、ジョブで使用する用紙が格納されているトレイを指定する、用紙の情報を関連付けておく定義名称もしくは数値などの用紙属性情報を指定する、複数の用紙属性情報を指定して、そのときにトレイに格納されている用紙のうち指定した用紙属性情報が一致する用紙のトレイを自動選択させる、ことが可能となっている。
【００３３】
ジョブで使用する用紙が格納されているトレイを指定する方法は、直接トレイを指定する事から操作情報部６０での用紙属性設定が容易であり、使用者にとっても分かりやすいという利点があるが、トレイの数により指定可能な用紙数が制限されてしまうという問題がある。
【００３４】
用紙の情報を関連付けておく定義名称もしくは数値などの用紙属性情報を指定する方法は、ジョブで使う用紙を一意に指定する事ができ、その用紙があらかじめトレイに格納されていなくても、ジョブの途中でトレイの用紙を入れ替えて使用できるという利点があるが、あらかじめ複数の用紙を定義しておき、かつ、その情報を事前にジョブを送信するホストコンピュータ８２側と一致させておく必要がある。さらに、使用者がジョブで指定する用紙属性情報を覚えておく必要がある。
【００３５】
複数の用紙属性情報を指定して、そのときにトレイに格納されている用紙のうち、指定した用紙属性情報が一致する用紙のトレイを自動選択させる方法は、その用紙がトレイになくてもジョブ途中でトレイの用紙を入れ替えて継続できるという利点がある。
また、あらかじめ用紙を定義していない場合でも、トレイに用紙を格納する際に用紙属性情報を指定して使用できるという簡便さがあり、一時的な用紙を使用する際に利便性が高い。
【００３６】
しかし、極めて高レベルの画像品質を実現しようとする画像形成装置１において、複数の用紙属性情報を指定して、そのときにトレイに格納されている用紙のうち、指定した用紙属性情報が一致する用紙のトレイを自動選択させる場合には、ジョブで使う用紙を決定するための用紙属性情報が複数あり、これら複数の用紙属性が一致しないとジョブで使う用紙だとは判断されず、ジョブの指定用紙がない用紙切れのエラー表示となる事が起こりやすい。
係る状況では、使用者からはどの属性が一致していないのか判断しにくく、用紙を格納し用紙属性設定をしたにも拘わらず、ジョブが用紙切れの表示で停止したままになるという事態が発生する事になる。
【００３７】
そこで、本実施形態の画像形成装置１は、ジョブで使用する用紙を決定するための用紙属性情報と、トレイに格納した用紙の用紙属性情報としてトレイに割り当てた用紙属性情報が一致せず、該当の用紙がない旨（用紙切れという旨）を使用者に提示して停止している場合に、特定のトレイについて、ジョブで使用する用紙を決定するための用紙属性情報と、トレイに格納された用紙の用紙属性情報としてトレイに割り当てた用紙属性情報との、異なる箇所を明示する。
以下、本実施形態に係る画像形成装置１における給紙動作制御をブロック図及びフローチャートを参照しながら詳細に説明する。
【００３８】
（２．２）トレイの特定方法
画像形成装置１が備える用紙送り装置２０、３０、４０は、使用される用紙の材質や厚さ、サイズ、紙目等といった用紙の種類（以下、用紙属性と記す）に合わせて、多種の用紙に画像形成を行うために、複数のトレイを備えている。
そして、システム制御部１１は、ジョブを送信するホストコンピュータ８２側で指定された用紙と用紙属性情報が一致する用紙が格納されたトレイを検索する。検索した結果、ジョブで使う用紙を決定するための複数の用紙属性のうち、一部の用紙属性が一致しないとジョブで使う用紙だとは判断されず、操作情報部６０は、制御部６１が表示部６４にて当該トレイの一致しない用紙属性を明示し、該当する用紙のトレイへの補給を促す表示を、例えばポップアップ画面により行う。
【００３９】
（２．３）ポップアップ画面の表示
図４は、ジョブで使用する用紙を決定するための用紙属性情報と、トレイに格納された用紙の用紙属性情報としてトレイに割り当てた用紙属性情報との、異なる箇所を表示するポップアップ画面の一例を示した図である。
図４に示したように、ポップアップ画面には、トレイ１の用紙の用紙属性のうち、用紙の「紙目」が、不一致であり、「横目（短辺方向）」の用紙を補給すべき旨が表示される。
【００４０】
その結果、どの用紙属性が一致していないのかが明示され、使用者は迅速にかつ的確に指定された用紙を使用することができ、利便性を向上させる事ができる。
【００４１】
「第２実施形態」
以下、存在するトレイごとに、ジョブで使用する用紙を決定するための用紙属性情報と、トレイに格納された用紙の用紙属性情報としてトレイに割り当てた用紙属性情報との、異なる箇所を明示する画像形成装置１Ａの作用についてフローチャートを参照しながら説明する。
図５は、本実施形態に係る画像形成装置１Ａがジョブで用紙切れを検知した場合に行う処理の手順の一例を示したフローチャートである。
【００４２】
画像形成装置１Ａは、印刷ジョブが入力されると印刷ジョブの処理を開始し、ジョブで用紙切れか否かを検知する（Ｓ１０１）。具体的には、ジョブで使用する用紙を決定するための用紙属性情報と、トレイに格納された用紙の用紙属性情報としてトレイに割り当てた用紙属性情報とが一致するか否か判断する（Ｓ１０１）。
【００４３】
その結果、当該トレイにおいて、ジョブで使用する用紙を決定するための用紙属性情報と、トレイに格納された用紙の用紙属性情報としてトレイに割り当てた用紙属性情報とが一致しない場合（Ｓ１０１；Ｙｅｓ）、当該トレイは用紙切れと判断し、ジョブで使用する用紙を決定するための用紙属性情報と、トレイに格納された用紙の用紙属性情報としてトレイに割り当てた用紙属性情報との差分を検出する（Ｓ１０２）。
【００４４】
次に、システム制御部１１は、操作情報部６０を介して、制御部６１が表示部６４にて当該トレイの一致しない用紙属性を明示し、該当する用紙のトレイへの補給を促す表示を、例えばポップアップ画面により行う（Ｓ１０３）。
その後、システム制御部１１は、次のトレイが存在か否か判断する（Ｓ１０４）。次のトレイが無い場合（Ｓ１０４；Ｎｏ）は、用紙切れ検知の処理を終了する。
【００４５】
次のトレイがあった場合（Ｓ１０４；Ｙｅｓ）、ジョブで使用する用紙を決定するための用紙属性情報と、当該トレイに格納された用紙の用紙属性情報としてトレイに割り当てた用紙属性情報との差分を検出する（Ｓ１０２）。以下、上述したＳ１０２〜Ｓ１０４の処理を継続する。
【００４６】
このような処理により、第１実施形態と同様に、操作情報部６０の表示部６４にはポップアップ画面に、全てのトレイについてトレイごとに、ジョブで使用する用紙を決定するための用紙属性情報と、当該トレイに格納された用紙の用紙属性情報としてトレイに割り当てた用紙属性情報との差分が表示される。
【００４７】
その結果、どのトレイにおいて、どの用紙属性が一致していないのかが明示され、使用者は迅速にかつ的確に指定された用紙を使用することができ、利便性を向上させる事ができる。
【００４８】
「第３実施形態」
以下、使用者が指定したトレイについて、ジョブで使用する用紙を決定するための用紙属性情報と、トレイに格納された用紙の用紙属性情報としてトレイに割り当てた用紙属性情報との、異なる箇所を明示する画像形成装置１Ｂの作用についてフローチャートを参照しながら説明する。
図６は、本実施形態に係る画像形成装置１Ｂがジョブで用紙切れを検知した場合に行う処理の手順の一例を示したフローチャートである。
【００４９】
画像形成装置１Ｂは、印刷ジョブが入力されると印刷ジョブの処理を開始し、ジョブで用紙切れか否かを検知する（Ｓ２０１）。具体的には、ジョブで使用する用紙を決定するための用紙属性情報と、トレイに格納された用紙の用紙属性情報としてトレイに割り当てた用紙属性情報とが一致するか否か判断する（Ｓ２０１）。
【００５０】
その結果、当該トレイにおいて、ジョブで使用する用紙を決定するための用紙属性情報と、トレイに格納された用紙の用紙属性情報としてトレイに割り当てた用紙属性情報とが一致しない場合（Ｓ２０１；Ｙｅｓ）、当該トレイは用紙切れと判断し、用紙切れで停止した旨を表示する（Ｓ２０２）。
【００５１】
次に、システム制御部１１は、操作情報部６０を介して、用紙属性の差分を明示すべき使用者が指定したトレイがあるか否かの判断を行う（Ｓ２０３）。
その結果、使用者が指定したトレイがあった場合（Ｓ２０３；Ｙｅｓ）、当該トレイについて、ジョブで使用する用紙を決定するための用紙属性情報と、トレイに格納された用紙の用紙属性情報としてトレイに割り当てた用紙属性情報との差分を検出する（Ｓ２０４）。
【００５２】
そして、操作情報部６０は、制御部６１が表示部６４にて使用者が指定したトレイの一致しない用紙属性を明示し、該当する用紙のトレイへの補給を促す表示を、例えばポップアップ画面により行う（Ｓ２０５）。
【００５３】
このような処理により、第１実施形態と同様に、操作情報部６０の表示部６４にはポップアップ画面に、使用者が指定したトレイについて、ジョブで使用する用紙を決定するための用紙属性情報と、当該トレイに格納された用紙の用紙属性情報としてトレイに割り当てた用紙属性情報との差分が表示される。
【００５４】
その結果、使用者が指定したトレイについて、どの用紙属性が一致していないのかが明示され、使用者は迅速にかつ的確に指定された用紙を使用することができ、利便性を向上させる事ができる。
【００５５】
「第４実施形態」
以下、用紙属性情報が最も多く一致するトレイについて、ジョブで使用する用紙を決定するための用紙属性情報と、トレイに格納された用紙の用紙属性情報としてトレイに割り当てた用紙属性情報との、異なる箇所を明示する画像形成装置１Ｃの作用についてフローチャートを参照しながら説明する。
図７は、本実施形態に係る画像形成装置１Ｃがジョブで用紙切れを検知した場合に行う処理の手順の一例を示したフローチャートである。
【００５６】
画像形成装置１Ｃは、印刷ジョブが入力されると印刷ジョブの処理を開始し、ジョブで用紙切れか否かを検知する（Ｓ３０１）。具体的には、ジョブで使用する用紙を決定するための用紙属性情報と、トレイに格納された用紙の用紙属性情報としてトレイに割り当てた用紙属性情報とが一致するか否か判断する（Ｓ３０１）。
【００５７】
その結果、当該トレイにおいて、ジョブで使用する用紙を決定するための用紙属性情報と、トレイに格納された用紙の用紙属性情報としてトレイに割り当てた用紙属性情報とが一致しない場合（Ｓ３０１；Ｙｅｓ）、ジョブで使用する用紙を決定するための用紙属性情報と、トレイに格納された用紙の用紙属性情報としてトレイに割り当てた用紙属性情報との差分を検出する（Ｓ３０２）。
【００５８】
その後、システム制御部１１は、次のトレイが存在するか否か判断する（Ｓ３０３）。次のトレイが存在する場合（Ｓ３０３；Ｙｅｓ）は、次のトレイにおいて、ジョブで使用する用紙を決定するための用紙属性情報と、トレイに格納された用紙の用紙属性情報としてトレイに割り当てた用紙属性情報との差分を検出する（Ｓ３０２）。以下、次のトレイの存在が無くなるまで（Ｓ３０３：Ｎｏ）、以上の処理を継続する。
【００５９】
次のトレイが存在しない場合（Ｓ３０３；Ｎｏ）、操作情報部６０は、制御部６１が表示部６４にて、用紙属性情報が最も多く一致するトレイについて、使用者が指定したトレイの一致しない用紙属性を明示し、該当する用紙のトレイへの補給を促す表示を、例えばポップアップ画面により行う（Ｓ３０４）。
【００６０】
このような処理により、第１実施形態と同様に、操作情報部６０の表示部６４にはポップアップ画面に、用紙属性情報が最も多く一致するトレイについて、ジョブで使用する用紙を決定するための用紙属性情報と、当該トレイに格納された用紙の用紙属性情報としてトレイに割り当てた用紙属性情報との差分が表示される。
【００６１】
その結果、どの用紙属性が一致していないのかが明示され、使用者は迅速にかつ的確に指定された用紙を使用することができ、利便性を向上させる事ができる。
【００６２】
「第５実施形態」
以下、用紙サイズが一致するトレイについてのみ、ジョブで使用する用紙を決定するための用紙属性情報と、トレイに格納された用紙の用紙属性情報としてトレイに割り当てた用紙属性情報との、異なる箇所を明示する画像形成装置１Ｄの作用についてフローチャートを参照しながら説明する。
図８は、本実施形態に係る画像形成装置１Ｄがジョブで用紙切れを検知した場合に行う処理の手順の一例を示したフローチャートである。
【００６３】
画像形成装置１Ｄは、印刷ジョブが入力されると印刷ジョブの処理を開始し、ジョブで用紙切れか否かを検知する（Ｓ４０１）。具体的には、ジョブで使用する用紙を決定するための用紙属性情報と、トレイに格納された用紙の用紙属性情報としてトレイに割り当てた用紙属性情報とが一致するか否か判断する（Ｓ４０１）。
【００６４】
その結果、当該トレイにおいて、ジョブで使用する用紙を決定するための用紙属性情報と、トレイに格納された用紙の用紙属性情報としてトレイに割り当てた用紙属性情報とが一致しない場合（Ｓ４０１；Ｙｅｓ）、ジョブで使用する用紙と、当該トレイの用紙の用紙サイズとが一致するか否か判断する（Ｓ４０２）。
ジョブで使用する用紙と、当該トレイの用紙の用紙サイズとが一致する場合（Ｓ４０２；Ｙｅｓ）、ジョブで使用する用紙を決定するための用紙属性情報と、トレイに格納された用紙の用紙属性情報としてトレイに割り当てた用紙属性情報との差分を検出する（Ｓ４０３）。
尚、ジョブで使用する用紙と、当該トレイの用紙の用紙サイズとが一致しない場合（Ｓ４０２；Ｎｏ）、システム制御部１１は、次のトレイが存在するか否か判断し（Ｓ４０５）、処理を継続する。
【００６５】
そして、操作情報部６０は、制御部６１が表示部６４にて用紙サイズが一致したトレイについて、検出された一致しない用紙属性を明示し、該当する用紙のトレイへの補給を促す表示を、例えばポップアップ画面により行う（Ｓ４０４）。
【００６６】
その後、システム制御部１１は、次のトレイが存在するか否か判断する（Ｓ４０５）。次のトレイが存在する場合（Ｓ４０５；Ｙｅｓ）は、次のトレイにおいて、ジョブで使用する用紙と、当該トレイの用紙の用紙サイズとが一致するか否か判断する（Ｓ４０２）。以下、次のトレイの存在が無くなるまで（Ｓ４０５：Ｎｏ）、以上の処理を継続する。
【００６７】
このような処理により、第１実施形態と同様に、操作情報部６０の表示部６４にはポップアップ画面に、用紙サイズが一致したトレイについてのみ、ジョブで使用する用紙を決定するための用紙属性情報と、当該トレイに格納された用紙の用紙属性情報としてトレイに割り当てた用紙属性情報との差分が表示される。
【００６８】
その結果、どの用紙属性が一致していないのかが明示され、使用者は迅速にかつ的確に指定された用紙を使用することができ、利便性を向上させる事ができる。
【００６９】
「第６実施形態」
以下、直前に使用していたトレイについて、ジョブで使用する用紙を決定するための用紙属性情報と、トレイに格納された用紙の用紙属性情報としてトレイに割り当てた用紙属性情報との、異なる箇所を明示する画像形成装置１Ｅの作用についてフローチャートを参照しながら説明する。
図９は、本実施形態に係る画像形成装置１Ｅがジョブで用紙切れを検知した場合に行う処理の手順の一例を示したフローチャートである。
【００７０】
画像形成装置１Ｅは、印刷ジョブが入力されると印刷ジョブの処理を開始し、ジョブで用紙切れか否かを検知する（Ｓ５０１）。具体的には、ジョブで使用する用紙を決定するための用紙属性情報と、トレイに格納された用紙の用紙属性情報としてトレイに割り当てた用紙属性情報とが一致するか否か判断する（Ｓ５０１）。
【００７１】
その結果、当該トレイにおいて、ジョブで使用する用紙を決定するための用紙属性情報と、トレイに格納された用紙の用紙属性情報としてトレイに割り当てた用紙属性情報とが一致しない場合（Ｓ５０１；Ｙｅｓ）、ジョブで使用する用紙を決定するための用紙属性情報と、直前に使用していたトレイに格納された用紙の用紙属性情報としてトレイに割り当てた用紙属性情報との差分を検出する（Ｓ５０２）。
【００７２】
その後、操作情報部６０は、制御部６１が表示部６４にて、直前に使用していたトレイについて、ジョブで使用する用紙を決定するための用紙属性情報と、当該トレイに格納された用紙の用紙属性情報としてトレイに割り当てた用紙属性情報との差分を、例えばポップアップ画面により行う（Ｓ５０３）。
【００７３】
このような処理により、第１実施形態と同様に、操作情報部６０の表示部６４にはポップアップ画面に、直前に使用していたトレイについて、ジョブで使用する用紙を決定するための用紙属性情報と、当該トレイに格納された用紙の用紙属性情報としてトレイに割り当てた用紙属性情報との差分が表示される。
【００７４】
その結果、どの用紙属性が一致していないのかが明示され、使用者は迅速にかつ的確に指定された用紙を使用することができ、利便性を向上させる事ができる。
【００７５】
「第７実施形態」
以下、使用者が用紙を入れ替えたトレイについて、ジョブで使用する用紙を決定するための用紙属性情報と、トレイに格納された用紙の用紙属性情報としてトレイに割り当てた用紙属性情報との、異なる箇所を明示する画像形成装置１Ｆの作用についてフローチャートを参照しながら説明する。
図１０は、本実施形態に係る画像形成装置１Ｆがジョブで用紙切れを検知した場合に行う処理の手順の一例を示したフローチャートである。
【００７６】
画像形成装置１Ｆは、印刷ジョブが入力されると印刷ジョブの処理を開始し、ジョブで用紙切れか否かを検知する（Ｓ６０１）。具体的には、ジョブで使用する用紙を決定するための用紙属性情報と、トレイに格納された用紙の用紙属性情報としてトレイに割り当てた用紙属性情報とが一致するか否か判断する（Ｓ６０１）。
【００７７】
その結果、当該トレイにおいて、ジョブで使用する用紙を決定するための用紙属性情報と、トレイに格納された用紙の用紙属性情報としてトレイに割り当てた用紙属性情報とが一致しない場合（Ｓ６０１；Ｙｅｓ）、当該トレイは用紙切れと判断し、用紙切れで停止した旨を表示する（Ｓ６０２）。
【００７８】
次に、システム制御部１１は、使用者が用紙を入れ替えたトレイがあるか否かの判断を行う（Ｓ６０３）。
その結果、使用者が用紙を入れ替えたトレイがあった場合（Ｓ６０３；Ｙｅｓ）、当該トレイについて、ジョブで使用する用紙を決定するための用紙属性情報と、トレイに格納された用紙の用紙属性情報としてトレイに割り当てた用紙属性情報との差分を検出する（Ｓ６０４）。
【００７９】
そして、操作情報部６０は、制御部６１が表示部６４にて使用者が用紙を入れ替えたトレイの一致しない用紙属性を明示し、該当する用紙のトレイへの補給を促す表示を、例えばポップアップ画面により行う（Ｓ６０５）。
【００８０】
このような処理により、第１実施形態と同様に、操作情報部６０の表示部６４にはポップアップ画面に、使用者が用紙を入れ替えたトレイについて、ジョブで使用する用紙を決定するための用紙属性情報と、当該トレイに格納された用紙の用紙属性情報としてトレイに割り当てた用紙属性情報との差分が表示される。
【００８１】
その結果、使用者が指定したトレイについて、どの用紙属性が一致していないのかが明示され、使用者は迅速にかつ的確に指定された用紙を使用することができ、利便性を向上させる事ができる。
【００８２】
「第８実施形態」
以下、使用者がトレイに割り当てられた用紙属性情報を変更した、もしくは変更しようとしたトレイについて、ジョブで使用する用紙を決定するための用紙属性情報と、トレイに格納された用紙の用紙属性情報としてトレイに割り当てた用紙属性情報との、異なる箇所を明示する画像形成装置１Ｇの作用についてフローチャートを参照しながら説明する。
図１１は、本実施形態に係る画像形成装置１Ｇがジョブで用紙切れを検知した場合に行う処理の手順の一例を示したフローチャートである。
【００８３】
画像形成装置１Ｇは、印刷ジョブが入力されると印刷ジョブの処理を開始し、ジョブで用紙切れか否かを検知する（Ｓ７０１）。具体的には、ジョブで使用する用紙を決定するための用紙属性情報と、トレイに格納された用紙の用紙属性情報としてトレイに割り当てた用紙属性情報とが一致するか否か判断する（Ｓ７０１）。
【００８４】
その結果、当該トレイにおいて、ジョブで使用する用紙を決定するための用紙属性情報と、トレイに格納された用紙の用紙属性情報としてトレイに割り当てた用紙属性情報とが一致しない場合（Ｓ７０１；Ｙｅｓ）、当該トレイは用紙切れと判断し、用紙切れで停止した旨を表示する（Ｓ７０２）。
【００８５】
次に、システム制御部１１は、使用者がトレイに割り当てられた用紙属性情報を変更した、もしくは変更しようとしたトレイがあるか否かの判断を行う（Ｓ７０３）。
その結果、使用者がトレイに割り当てられた用紙属性情報を変更した、もしくは変更しようとしたトレイがあった場合（Ｓ７０３；Ｙｅｓ）、当該トレイについて、ジョブで使用する用紙を決定するための用紙属性情報と、トレイに格納された用紙の用紙属性情報としてトレイに割り当てた用紙属性情報との差分を検出する（Ｓ７０４）。
【００８６】
そして、操作情報部６０は、制御部６１が表示部６４にて使用者がトレイに割り当てられた用紙属性情報を変更した、もしくは変更しようとしたトレイの一致しない用紙属性を明示し、該当する用紙のトレイへの補給を促す表示を、例えばポップアップ画面により行う（Ｓ７０５）。
【００８７】
このような処理により、第１実施形態と同様に、操作情報部６０の表示部６４にはポップアップ画面に、使用者がトレイに割り当てられた用紙属性情報を変更した、もしくは変更しようとしたトレイについて、ジョブで使用する用紙を決定するための用紙属性情報と、当該トレイに格納された用紙の用紙属性情報としてトレイに割り当てた用紙属性情報との差分が表示される。
【００８８】
その結果、使用者が指定したトレイについて、どの用紙属性が一致していないのかが明示され、使用者は迅速にかつ的確に指定された用紙を使用することができ、利便性を向上させる事ができる。
【００８９】
以上、本発明に係る実施形態を詳述したが、本発明は、上記実施形態に限定されるものではなく、特許請求の範囲に記載された本発明の要旨の範囲内で、種々の変更を行うことが可能である。
【００９０】
例えば、本実施形態では画像形成装置１、１Ａ、１Ｂ、１Ｃ、１Ｄ、１Ｅ、１Ｆ、１Ｇはプリンタとして説明しているが、原稿の読み取り機能を備えた複写機であっても良い。
【符号の説明】
【００９１】
１、１Ａ、１Ｂ、１Ｃ、１Ｄ、１Ｅ、１Ｆ、１Ｇ・・・画像形成装置
１０・・・画像形成部
１１・・・システム制御部
１２・・・画像入力部
１３・・・画像処理部
１４・・・画像記憶部
１５・・・画像出力部
１６・・・後処理装置制御部
１７・・・電源制御部
７１・・・用紙搬送部（画像形成部）
２０、３０、４０・・・用紙送り装置
２１、３１、４１・・・制御部（用紙送り装置）
２２、３２、４２・・・トレイ制御部（用紙送り装置）
７２、７３、７４・・・用紙搬送部（用紙送り装置）
５０・・・排紙部
６０・・・操作情報部
６１・・・制御部
６２・・・操作入力部
６３・・・記憶部
６４・・・表示部
６５・・・入出力部
８０・・・通信ケーブル
８１・・・通信ネットワーク
８２・・・ホストコンピュータ
【図１】
2014018975.tif 000003
【図２】
2014018975.tif 000004
【図３】
2014018975.tif 000005
【図４】
2014018975.tif 000006
【図５】
2014018975.tif 000007
【図６】
2014018975.tif 000008
【図７】
2014018975.tif 000009
【図８】
2014018975.tif 000010
【図９】
2014018975.tif 000011
【図１０】
2014018975.tif 000012
【図１１】
2014018975.tif 000013